(57)【要約】【課題】  ヘッド本体の空間孔に通水管が収容され、頭部には湯水の吐水形態を切替えることのできる切替機構を備えたシャワーヘッドにおいて、美観を備え、漏水する恐れが無く信頼性の高いシャワーヘッドを提供する。【解決手段】  把持部２と把持部２の先端に設けられ下部に開口孔６が形成された頭部３とを有するヘッド本体１と、前記把持部２の空間孔４に収容され通水路１１が形成された通水管１０と、前記頭部３に固定され通水管１０が挿入される横孔２２が穿設された被覆部材２０と、この被覆部材２０に対しヘッド本体１の開口孔６から装着され、通水管１０から供給される湯水の吐水形態を切替える切替部材４０とを備えたシャワーヘッドＡにおいて、前記通水管１０の先端部１０ｂにはヘッド本体１の開口孔６に臨む切欠溝１６が形成され、開口孔６から抜止部材３０を挿入して切欠溝１６へ装着することで、通水管１０を被覆部材２０に結合する。【選択図】  図１
2008272191.tif 000002
【特許請求の範囲】
【請求項１】
内部に空間孔が形成された把持部と把持部の先端に設けられ下部に開口孔が形成された頭部とを有するヘッド本体と、前記把持部の空間孔に収容され湯水が通過する通水路が形成された通水管と、前記頭部に固定され通水管の先端側が挿入される横孔が穿設された被覆部材と、この被覆部材に対しヘッド本体の開口孔から装着され、通水管から供給される湯水の吐水形態を切替えることのできる切替部材とを備えたシャワーヘッドにおいて、前記通水管の先端部にはヘッド本体の開口孔に臨む切欠溝が形成され、開口孔から抜止部材を挿入して切欠溝へ装着することで、通水管を被覆部材に結合することを特徴とするシャワーヘッド。
【請求項２】
前記抜止部材は通水管の切欠溝から取り外し自在としたことを特徴とする請求項１記載のシャワーヘッド。
【発明の詳細な説明】
【技術分野】
【０００１】
本発明は、湯水が通過する通水管がヘッド本体の空間孔に収容されるシャワーヘッドに関する。
【背景技術】
【０００２】
浴室、流し台又は洗面台等において、湯水を吐水するために使用されるシャワーヘッドは、一般にコストダウン、軽量化、熱伝達防止等の理由により合成樹脂材料により形成されるが、美観、高級感等を向上させるため、ヘッド本体の表面に金属色のメッキを施すことが行なわれている。ヘッド本体の表面に金属色のメッキを施す場合、湯水が通過する通水路の内壁面までメッキが付着してしまうと、通水路を通過する湯水が高温の熱湯であると、この熱湯の影響で合成樹脂材料であるヘッド本体は熱膨張が発生し、メッキは通水路の内壁面から剥離してしまい、通水路が目詰まりして湯水の吐水状態が不均一になるうえ、湯水が飲料水であるとメッキが使用者の体内に入り、人体に悪影響を及ぼす恐れがある。そこで従来のヘッド表面にメッキを施したシャワーヘッドは、空間孔に通水管が収容されるようにした二重構造とし、ホースから供給される湯水は通水管を通過することで、シャワーヘッドの内部でメッキの付着したヘッド本体の内壁面に湯水が接触しないようにしていた。
【０００３】
特許文献１はこのようなヘッド本体の表面にメッキを施したシャワーヘッドであり、このシャワーヘッドは、ヘッド本体の空間孔に湯水が通過する内部流路部材を収容した二重構造としている。このシャワーヘッドは、ヘッド本体の空間孔に収容される内部流路部材は固定部材によりヘッド本体に固定されるものであり、ヘッド本体において、ホースが接続される基端部の側面には固定部材を挿通させるための取付孔が開口しており、この固定部材はヘッド本体の基端部で外部に露出した状態で装着されている。
【０００４】
特許文献２のシャワーヘッドは、ヘッド本体の空間孔に湯水が通過する通水管を収容した二重構造としている。ヘッド本体の空間孔に収容される通水管は、その先端部が頭部に臨み、略円筒形に形成された抜止部材を頭部の下側に開口している開口孔から挿入して通水管に結合するものであり、頭部には外部に吐水される湯水の吐水形態を切替えるための切替部材が開口孔から収容され、通水管と抜止部材とを結合した後に、切替部材を頭部に装着することにより、通水管はヘッド本体に固定されるものである。
【０００５】
【特許文献１】特許第３５６００２０号公報
【特許文献２】米国特許第５７０７０１１号明細書
【発明の開示】
【発明が解決しようとする課題】
【０００６】
特許文献１のシャワーヘッドにおいては、内部流路部材をヘッド本体の空間孔に収容して固定するための固定部材が、ヘッド本体の基端部で外部に露出してしまい、ヘッド本体と固定部材とは別物品であるため美観を損なう。また、ヘッド本体はその基端部で固定部材を挿通させるための取付孔を開口させており、内部流路部材をヘッド本体に固定する際に、取付孔の周囲に固定部材が接触することにより、ヘッド本体の表面に施されたメッキが剥がれてしまう恐れがあった。
【０００７】
特許文献２のシャワーヘッドにおいては、抜止部材は切替部材が頭部に装着されることにより固定されるものであり、抜止部材と湯水の吐水形態を切替えるための切替部材とは互いに結合しているため、湯水の通水時に通水圧力が高く、通水管が振動すると、この振動により抜止部材に対して負荷が加わり、抜止部材から切替部材に対してその負荷が伝達し、合成樹脂製の物品からなる切替部材はその装着位置がずれたり変形する恐れがあり、このずれや変形により流路の切替えを円滑に行なうことができなくなる場合や、ヘッド本体との水密状態を維持できず、漏水が発生する恐れがあった。
【０００８】
本発明は、このような従来の技術に存在する問題点に着目してなされたものであり、その目的は、ヘッド本体の空間孔に通水管が収容され、頭部には湯水の吐水形態を切替えることのできる切替機構を備えたシャワーヘッドにおいて、美観を備え、漏水する恐れが無く信頼性の高いシャワーヘッドを提供することである。
【課題を解決するための手段】
【０００９】
上記目的を達成するため、請求項１に記載の発明は、内部に空間孔が形成された把持部と把持部の先端に設けられ下部に開口孔が形成された頭部とを有するヘッド本体と、前記把持部の空間孔に収容され湯水が通過する通水路が形成された通水管と、前記頭部に固定され通水管の先端側が挿入される横孔が穿設された被覆部材と、この被覆部材に対しヘッド本体の開口孔から装着され、通水管から供給される湯水の吐水形態を切替えることのできる切替部材とを備えたシャワーヘッドにおいて、前記通水管の先端部にはヘッド本体の開口孔に臨む切欠溝が形成され、開口孔から抜止部材を挿入して切欠溝へ装着することで、通水管を被覆部材に結合するものである。
【００１０】
請求項２では請求項１記載の発明によるシャワーヘッドにおいて、前記抜止部材は通水管の切欠溝から取り外し自在としたものである。
【発明の効果】
【００１１】
本発明の請求項１のシャワーヘッドは、通水管を被覆部材に結合するための抜止部材は開口部から挿入されて通水管に装着され、外部に露出することがないため美観を損なうことがない。しかも、抜止部材と切替部材とは互いに独立し、通水管が通水路を通過する湯水により振動しても、その振動が抜止部材から切替部材へ伝達することがなく、湯水の吐水形態の切替を良好に行なうことができるうえ、漏水の恐れがない。
【００１２】
請求項２のシャワーヘッドは、抜止部材は通水管の切欠溝から取り外し自在としたので通水管のシャワーヘッドからの取り外しを容易に行うことができる。
【発明を実施するための最良の形態】
【００１３】
以下、本発明を具体化した実施例を図に基づいて詳細に説明する。
【実施例】
【００１４】
本発明のシャワーヘッドＡは図１乃至図３に示すように、把持部２と頭部３とを備えたヘッド本体１と、ヘッド本体１の把持部２に収容される通水管１０と、ヘッド本体１の頭部３に収容される被覆部材２０と、通水管１０を被覆部材２０に結合するための抜止部材３０と、被覆部材２０の下部から頭部３に装着される切替部材４０とを備えている。
【００１５】
前記ヘッド本体１は合成樹脂材料により一体に形成された中空屈曲形状で、表面全体にニッケルクローム等、耐食性に優れ、美観、高級感を与えることのできる金属色のメッキが施されている。ヘッド本体１の把持部２はシャワーヘッドＡの使用者が手で握るのに適した外径による略円筒形状に形成され、その空間孔４に前記通水管１０が収容される。把持部２の先端に設けられた頭部３は円形状で縦方向に吐水室５が形成され、この吐水室５の下部に略円形の開口孔６が形成されている。
【００１６】
前記通水管１０は湯水が通過する通水路１１が形成され、中央部分が僅かに湾曲した略円筒状で、その基端部１０ａの外周面には雄ねじ部１３が形成され、この雄ねじ部１３にはホース１２の先端が接続されるようになっている。また、通水管１０の先端部１０ｂの外周面には環状溝１４が形成され、この環状溝１４には被覆部材２０との水密状態を維持するためのシールリング１５が装着されている。前記ホース１２の他端は湯水の温度調節及び流量調節が可能な混合水栓（図示省略）に接続され、混合水栓により温度調節及び流量調節された湯水がホース１２から通水管１０に供給される。図５及び図６に示すように、ヘッド本体１の把持部２で空間孔４に収容された通水管１０は、その先端部１０ｂがヘッド本体１の頭部３内に臨み、前記被覆部材２０に結合されるものであり、その外周面には前記抜止部材３０を装着するための切欠溝１６が形成されている。従って、通水管１０がヘッド本体１の空間孔４に収容されると、この切欠溝１６はヘッド本体１の頭部３内に臨ませているため、開口孔６の下側から通水管１０に向けて抜止部材３０を向かい合わせ、抜止部材３０を切欠溝１６に装着することで、通水管１０と被覆部材２０とを結合させることができるものである。
【００１７】
前記被覆部材２０は図３及び図４に示すように、ヘッド本体１の頭部３内壁面に形成された複数個のビス孔７に対しビス２１をそれぞれ螺合することにより固定されるものであり、その側部には空間孔４から通水管１０が差込まれる横孔２２が穿設されている。
【００１８】
前記抜止部材３０は弾力性を有する材質で略Ｕ字状に屈曲してリング状に形成され、図５乃至図８に示すように、ヘッド本体１の開口孔６から通水管１０の切欠溝１６に装着させれば、通水管１０は被覆部材２０に結合され、通水管１０はヘッド本体１から抜けることがないようにしている。
【００１９】
前記切替部材４０はシャワーヘッドＡから吐水される湯水の吐水形態を例えばマッサージ状、シャワー状、又は泡沫状の何れか１つの形態に切替えて外部へ吐水するものであり、前記通水管１０の通水路１１から被覆部材２０の内部空間を介して供給される湯水の流路を切替えるための切替弁体４１と、切替弁体４１と連繋し切替弁体４１を左右に回転させるため側面に装着されたレバー４２と、湯水をマッサージ状に吐水するための複数個の第１吐水孔４３と、第１吐水孔４３の外周側で湯水を泡沫状に吐水するための複数個の第２吐水孔４４と、第２吐水孔４４の外周側で湯水をシャワー状に吐水するための複数個の第３吐水孔４５とを備えている。切替部材４０の上部には固定手段４６が設けられており、この固定手段４６を被覆部材２０に結合させることにより、切替部材４０は被覆部材２０に装着される。
【００２０】
前記通水管１０をヘッド本体１の空間孔４に収容するには、図５及び図６に示すようヘッド本体１の頭部３に被覆部材２０を装着し、ビス２１をヘッド本体１のビス孔７螺着することにより固定した後に、通水管１０をその先端部１０ｂからヘッド本体１の空間孔４に収容し、先端部１０ｂを頭部３に装着されている被覆部材２０の横孔２２に結合する。この状態においては図６に示すように、通水管１０の先端部１０ｂに形成されている切欠溝１６は、ヘッド本体１の頭部３内に臨ませているため、ヘッド本体１の開口孔６からこの切欠溝１６を目視することができる。
【００２１】
次に図７に示すように、ヘッド本体１の頭部３の開口孔６から通水管１０に向けて抜止部材３０を挿入し、通水管１０の切欠溝１６に抜止部材３０を結合することで、通水管１０はヘッド本体１に固定される。この場合、抜止部材３０は被覆部材２０に対する切替部材４０の装着と連繋しておらず、抜止部材３０の通水管１０に対する結合状態により抜止部材３０が切替部材４０の装着状態に影響を及ぼすことがなく、切替部材４０が不安定な状態で装着されることによる漏水の発生や、吐水形態の切替不良を防止することができる。
【００２２】
そして、図１に示すようにヘッド本体１の開口孔６から頭部３に切替部材４０を結合し、被覆部材２０に対し切替部材４０を装着すれば、シャワーヘッドＡの組み立ては終了する。
【００２３】
次にシャワーヘッドＡの通水管１０をヘッド本体１から取り外す場合は、切替部材４０をヘッド本体１の開口孔６から取り外し、抜止部材３０を開口孔６から目視できる状態とする。次に開口孔６に指を入れて通水管１０から抜止部材３０を引き抜けば、通水管１０と被覆部材２０との結合状態が解除されるため、通水管１０をヘッド本体１の基端から引き抜くだけで通水管１０はヘッド本体１から引き離される。
【００２４】
本発明のシャワーヘッドは通水管の基端にホースが接続されているが、浴室において使用するタイプや、洗面台や流し台において、水栓にシャワーヘッドを着脱自在に支持しておき、シャワーヘッドはホースと共に水栓から引き出せるタイプとして使用できる。
【００２５】
以上のように実施例のシャワーヘッドによると、通水管を被覆部材に結合するための抜止部材が外部に露出することがなく、美観を損なうことがない。また、抜止部材と切替部材とは互いに独立し、通水管が通水路を通過する湯水により振動しても、その振動が切替部材へ伝達することがなく、湯水の吐水形態の切替を良好に行なうことができるうえ、漏水の恐れがない。
【図面の簡単な説明】
【００２６】
【図１】本発明のシャワーヘッドを組み立てた状態の説明図である。
【図２】図１のシャワーヘッドの一部底面図である。
【図３】本発明のシャワーヘッドの分解図である。
【図４】図３のヘッド本体の一部底面図である。
【図５】図３のヘッド本体に通水管と被覆部材とを収容した状態の説明図である。
【図６】図５のヘッド本体の一部底面図である。
【図７】図５のヘッド本体に通水管と被覆部材とを固定した状態の説明図である
【図８】図７のヘッド本体の一部底面図である。
【符号の説明】
【００２７】
１      ：ヘッド本体
２      ：把持部
３      ：頭部
４      ：空間孔
６      ：開口孔
１０    ：通水管
１０ｂ  ：先端部
１１    ：通水路
１６    ：切欠溝
２０    ：被覆部材
２２    ：横孔
３０    ：抜止部材
４０    ：切替部材
Ａ      ：シャワーヘッド
【図１】
2008272191.tif 000003
【図２】
2008272191.tif 000004
【図３】
2008272191.tif 000005
【図４】
2008272191.tif 000006
【図５】
2008272191.tif 000007
【図６】
2008272191.tif 000008
【図７】
2008272191.tif 000009
【図８】
2008272191.tif 000010